(57)【特許請求の範囲】
【請求項１】
眼底を照明および検査する装置において、
照明経路（５００）、観察経路（３００）、光ビーム経路（４００）と称する３つの別個の放射経路を有しており、これらの経路は結合手段（９）により１つの接眼レンズ手段（１１）へ入力結合され、
前記光ビーム経路（４００）の軸は接眼レンズ手段の光軸に対し斜めに配向されており、
前記照明経路（５００）の軸も接眼レンズ手段の光軸に対し斜めに配向されており、
前記別個の観察経路（３００）により接眼レンズ手段（１１）を介して画像面（１６０）上に眼底（１０００）が結像されることを特徴とする、
眼底を照明および検査する装置。
【請求項２】
前記照明経路（５００）の軸と前記接眼レンズ手段（１１）の光軸とが斜めに配向されていることから、前記接眼レンズ手段（１１）により該接眼レンズ手段（１１）の光軸に対し偏心された照明経路のアパーチャが形成される、請求項１記載の装置。
【請求項３】
前記観察経路（３００）は絞りアパーチャ（１４）を有しており、該絞りアパーチャ（１４）により角膜上に観察経路のアパーチャが形成される、請求項２記載の装置。
【請求項４】
前記絞りアパーチャ（１４）は、観察経路のアパーチャが接眼レンズ手段（１１）の光軸に対し偏心されるように該接眼レンズ手段（１１）の光軸に対し偏心されている、請求項３記載の装置。
【請求項５】
前記観察経路（３００）は中継光学系（１３，１５）を有しており、該光学系（１３，１５）は、前記絞りアパーチャ（１４）に対し実質的に対称に偏心された２つのレンズ手段から成る、請求項４記載の装置。
【請求項６】
前記照明経路（５００）は中継光学系を有しており、該中継光学系は照明経路絞りアパーチャ（３）を、眼底に対し共役な中間画像面（１０）に結像させる、請求項４記載の装置。
【請求項７】
前記照明経路絞りアパーチャ（３）は可動であり、照明経路（５００）から眼底（１０００）へ至る放射のサイズと照明領域を変化させるためにサイズが可変である、請求項６記載の装置。
【請求項８】
前記照明経路（５００）は光源（１）とフィルタ手段（７）を有しており、該フィルタ手段（７）は、前記光源により発せられた放射のスペクトルの所定の部分を透過させる、請求項７記載の装置。
【請求項９】
前記光源（１）は白熱光源であり、前記フィルタ手段（７）は近赤外で放射を送出するフィルタである、請求項８記載の装置。
【請求項１０】
前記光ビーム経路は光ビーム源（１８）と、該光ビーム源（１８）からの放射をスキャニングして偏向する手段（１６，１７）と、スキャナレンズ手段（１４）とを有しており、該スキャナレンズ手段（１４）は、スキャンされたビームからの放射を動かして結合手段上へ投射させ、これにより前記光ビーム源（１８）の画像を中間画像面上に形成させる、請求項６記載の装置。
【請求項１１】
前記光ビーム経路（４００）の絞りアパーチャ（１９）が前記スキャナレンズ手段（１４）の後方焦点面上に位置している、請求項１０記載の装置。
【請求項１２】
前記スキャナ手段（１６，１７）は、互いに直交するように配置された２つのスキャニングミラーを有しており、前記光ビーム経路絞りアパーチャ（１９）は前記２つのスキャニングミラーの間に配置されている、請求項１１記載の装置。
【請求項１３】
前記のスキャナレンズ手段（１４）と接眼レンズ手段（１１）の焦点距離の比は４よりも大きい、請求項１２記載の装置。
【請求項１４】
前記結合手段（９）はビームスプリッタを有する、請求項１記載の装置。
【請求項１５】
ＣＣＤカメラ（４７０）が設けられており、該ＣＣＤカメラ（４７０）は垂直方向よりも水平方向の方が長いフォーマットを有しており、前記照明経路（５００）の斜めの配向および偏心が垂直方向で行われ、該垂直方向はＣＣＤチップの垂直方向に対応する、請求項６記載の装置。
【請求項１６】
前記観察経路は双眼経路を有しており、該経路は第１の絞りアパーチャと第２の絞りアパーチャ（２４ａ，２４ｂ）を有しており、該絞りアパーチャ（２４ａ，２４ｂ）の各々は前記接眼レンズ手段（１１）の光軸に対し偏心されている、請求項２記載の装置。
【発明の詳細な説明】
【０００１】
【産業上の利用分野】
本発明は、眼底を照明および検査する装置に関する。
【０００２】
【従来の技術】
最近の眼底画像生成用の光学システムつまり眼底へ光ビームを照射するためのシステムは、（ａ）レーザビーム凝固装置と（ｂ）光学コヒーレンストモグラフィ（“ＯＣＴ”）装置を有しており、（ａ）のレーザビーム凝固装置においては、熱凝固を生じさせるのに十分に高い温度まで組織温度を高める目的で、目の後眼房における組織上にレーザビームがフォーカシングされ、さらに（ｂ）の光学コヒーレンストモグラフィ（“ＯＣＴ”）装置においては、たとえば超発光ダイオード（superluminescent diode, "SLD" ）から得られる低コヒーレンスの光ビームが眼底へフォーカシングされ、ショートコヒーレンス干渉計を用いることで眼底の断面画像が得られる。アメリカ合衆国特許第５０６７９５１号にはレーザビーム凝固装置の実例が開示されており、D.Huangほかの著による論文 "Optical Coherence Tomography", Science, 254, Nov.22, 1991,pp.1178-1181 には、ＯＣＴ装置の実例が開示されている。
【０００３】
上述の装置は典型的には、スリットランプと接眼レンズから成る光学的な装備を利用している。動作中、接眼レンズにより目のレンズと共働してスリットランプの焦点面上に空気中の眼底画像が形成されると、照明があてられる。空気中の眼底画像はスリットランプの光学系の観察経路を通して観察される。さらに光ビームは、ビームスプリッタによりスリットランプの観察経路へ結合される。この装置の場合、接眼レンズは通常、手によって患者の目の近くに保持されているか、あるいは角膜とじかに接している。
【０００４】
典型的には上述の装置において使用されるスリットランプと接眼レンズ光学系の光学的機構の場合、照明ビームおよび角膜や接眼レンズからの光ビームの反射は眼底からの反射の強度よりも大きい。たとえば、眼底の反射率は約１０−４％であるのに対し、角膜の反射率および典型的な接眼レンズ（たとえば Volk of 7893 Enterprise Drive, Mentor, Ohio 44060 により製造された Volk double aspheric bio lens）の反射率は、両方とも４％のオーダにあり、この値は眼底の反射率よりも著しく大きい。したがって眼底画像の品質は、接眼レンズと角膜からの反射により生じるアーチファクトによって劣化する。このようなアーチファクトを取り除くためには、角膜及び接眼レンズからの反射が観察経路中に入り込まないようにする必要がある。接眼レンズからの反射が観察経路中に入り込まないようにするための現在の試みでは、照明ビームと光ビームに対して接眼レンズを傾斜させる必要がある。しかしながら、接眼レンズを傾斜させるのは満足のいくものではない。それというのは、これにより非点収差と口径食が生じてしまうからである。さらに、角膜からの反射が観察経路中に入り込まないようにする試みによれば、コンタクト接眼レンズを使用する必要がある。しかしながら、コンタクト接眼レンズを使用するのは満足のいくものではない。それというのは、手で保持する接眼レンズを用いた場合、角膜と接眼レンズの両方からの反射を除去するのは難しいからである。
【０００５】
接眼レンズと角膜からの反射を幾何学的に分離することにより上述の問題点を解決するための試みが行われており、これはａ）リング照明（これはたとえば照明ビームの中心を動かすために照明経路中にストップ（絞り）を配置することにより得られる）と、ｂ）眼底観察用のセンタリングされた小さいアパーチャとを用いることにより行われ、これにより角膜と接眼レンズからの反射が幾何学的に分離される。しかし、リング照明を用いても十分ではない。それというのは、光ビーム直径が中心からはずれて目の中に結合し得る程度に十分に小さい場合を除いて、角膜および接眼レンズからの光ビームの反射は回避できないからである。
【０００６】
【発明が解決しようとする課題】
したがって本発明の課題は、ａ）簡単な構造であり、ｂ）光ビームが口径食なく眼底へ供給され、ｃ）高品質の眼底画像の得られる眼科用装置を提供することにある。
【０００７】
【課題を解決するための手段および利点】
本発明によればこの課題は、照明経路、観察経路、光ビーム経路と称する３つの別個の放射経路を有しており、これらの経路は結合手段により１つの接眼レンズ手段へ入力結合され、前記光ビーム経路の軸は接眼レンズ手段の光軸に対し斜めに配向されており、前記照明経路の軸も接眼レンズ手段の光軸に対し斜めに配向されており、前記別個の観察経路により接眼レンズ手段を介して画像面上に眼底が結像されることにより解決される。
【０００８】
有利には、本発明の実施形態により従来技術における上述の問題点が克服され、ａ）簡単な構造を有し、ｂ）口径食なく眼底へ光ビームが供給され、ｃ）高品質の眼底画像の得られる眼科用装置が提供される。たとえば本発明の実施形態は、３つの別個の放射経路−傾斜された照明経路、偏心された観察経路、ならびに光ビーム経路−を有する光学系である。これらの経路はビームスプリッタにより１つの接眼レンズへ入力結合される。本発明によれば、照明経路と光ビーム経路は接眼レンズの光軸に対し斜めに配向されている。その結果、ａ）接眼レンズからの反射は観察経路へ入らない；ｂ）角膜からの照明の鏡面反射は観察経路へ入らない；さらにｃ）角膜支質からの照明の散乱は観察経路へ入らない。
【０００９】
有利には本発明によれば、照明経路のアパーチャと観察経路のアパーチャは角膜において分離されており、並んで配置されている。その結果、口径食なく観察経路のアパーチャと照明経路のアパーチャの両方を受け入れるのに４ｍｍほどの小さい瞳孔で十分になる。このことは、通常は同じ効果を得るのに６ｍｍの直径の瞳孔が必要であるような眼底カメラと対比することができる。これにより眼底画像生成は眼の瞳孔を広げる必要なく行える。
【００１０】
本発明によれば、観察経路中の絞りアパーチャは観察経路の光軸に対し偏心されており、有利な実施形態の場合、観察経路中の画像は、簡単な２つのレンズ系により中継され、これらのレンズは絞りアパーチャに関してほぼ対称に偏心されている。このことにより有利には良好な眼底画像が得られる。それというのは、たとえば歪みやラテラルカラー（lateral color）のような特定の光学収差が除去され、さらにコマが最小化されるからである。
【００１１】
本発明によれば、患者の快適性ならびに瞳孔を広げることなく行われる目の検査のために、近赤外放射フィルタ（７２０ｍｍ〜１１００ｍｍ）を照明用のタングステンランプならびに観察用のＣＣＤカメラと共働させながら利用できる。この結果、眼底画像をビデオモニタにおいて見ることができ、しかも患者は長い検査期間の間にわたり、従来技術による装置で利用されることの多い明るい照明により苦痛を受けることなく済ますことができる。
【００１２】
【実施例の説明】
図１には、本発明にしたがって構成されている眼底画像生成用眼科用装置６００を上から見た図が示されており、ここには照明経路５００と観察経路３００だけが示されている。図１に示されているように、照明経路５００には光源１たとえば白熱光源と、この光源１からの放射出力を集光するためのレンズ２たとえば大きい開口数のコンデンサレンズと、絞りアパーチャ３たとえばレンズ５の後方焦点面に配置された可動スロットとが含まれている。レンズ５とレンズ６は、中間画像面１０に絞りアパーチャの像を生成する。中間画像面１０はレンズ６の後方焦点面に配置されており、レンズ５と６との間の放射は平行ビームの形状である。
【００１３】
本発明の有利な実施形態によれば、光源１は白熱光源であり、照明経路５００にはさらに、（ａ）近赤外透過フィルタ７と（ｂ）ガラスプリズム４，８とが含まれている。この場合、近赤外透過フィルタ７はたとえば、Schott RG9, 720 nm to 1100 nm  の透過フィルタであって、このフィルタは、患者に対する安全性および快適性のために、白熱光源１により放射される可視の遠赤外光を阻止する。ガラスプリズム４および８は、照明経路５００をコンパクトな光学パッケージに組み込むためにこの経路中に配置されている。さらに、この有利な実施形態の場合、ビームスプリッタ９は（以下で詳細に述べるように）マイナスのフィルタコーティングを有しており、これにより近赤外光を透過させ、診断または手術に用いられる波長を反射させる。
【００１４】
図１に示されているように、接眼レンズ１１は移動可能に取り付けられており、アイ・レンズ１２と共働して中間画像面１０を眼底１０００上にフォーカシングする。人間の目の屈折誤差は±２０ジオプターまでの範囲内で変化する。図１に示されているように、接眼レンズ１１は光軸に沿った軸線運動のために当業者によく知られた手段により移動可能に取り付けられており、これにより患者の目の屈折力が補償されて、眼底画像が中間画像面１０に常に位置するようになる。本発明によれば、絞りアパーチャ３と中間画像面１０とは共役であり、中間画像面１０と眼底１０００とは共役である。その結果、絞りアパーチャ３は眼底１０００と共役である。したがって眼底１０００上の照明位置ならびに照明領域は、絞りアパーチャ３の位置とサイズを調節することで変化させることができる。さらに本発明によれば、照明経路５００からの放射は大きな角度（傾斜）で接眼レンズ１１に入射しており、その結果、そこからの反射は観察経路３００から効果的に除かれる。しかし図１に示されているように、患者の目は接眼レンズ１１に対し偏心されており、これにより照明経路５００からの放射が角膜上に投射するようになる。
【００１５】
図１に示されているように、観察経路３００はレンズ１３と１５から成る光学的画像中継システムである。アイ・レンズ１２と接眼レンズ１１により、中間画像面１０に眼底１０００の空中の画像が形成される。次に、中間画像面１０における眼底の空中画像は、レンズ１３と１５により面１６０へ中継される。最後に、面１６０に形成された画像は、面１６０にＣＣＤカメラ４７０を配置することにより観察できる。
【００１６】
図１に示されているように、レンズ１３とレンズ１５との間には観察経路の絞りアパーチャ１４が配置されており、レンズ１３，１５は絞りアパーチャ１４に関して対称に偏心されている。有利には、この配置構成により歪みおよびラテラルカラーが除去され、コマが最小化される。本発明の有利な実施形態によれば、歪みおよびラテラルカラーが除去されコマが最小化されるよう実質的に完全な光学的対称性を得る目的で、レンズ１３と１５の焦点距離が実質的に等しくされ、したがってこれらのレンズは１対１中継システムを成す。
【００１７】
図２には、眼科用装置６００の側面図が示されており、ここには観察経路３００と光ビーム経路４００だけが示されている。図２に示されているように、光ビーム経路４００は光ビーム源１８、コリメーティング・レンズ１７、互いに直交するように配置され電気モータにより駆動されるスキャニングミラー１６，１７ならびにスキャナレンズ１４により構成されており、これらのミラー１６，１７は１対のモータ（図示せず）に配置されている。スキャナレンズ１４は光ビーム源１８を中間画像面１０上に映し、この面は先に述べたとおり眼底１０００に対し共役である。スキャニングミラー１６および１７は、光ビーム経路４００からの出力を眼底１０００上のどこかへ位置させるために用いられる。
【００１８】
光ビーム経路の絞りアパーチャ１９は、スキャナレンズ１４の後方焦点面に配置されており、アイ・レンズ１２の瞳孔に像を生成する。光ビームがスキャンされたときに口径食が生じるのを防止する目的で、絞りアパーチャ１９は目の瞳孔と共役であるべきであり、これにより光ビームがスキャンされても光ビームは瞳孔から出ていかないようになる。たとえば図８を参照すると、この図には絞りアパーチャ１９が目の瞳孔と共役でないときには光ビーム３５０のスキャン中に口径食が生じない様子が示されており、図９を参照すると、この図には絞りアパーチャ１９が目の瞳孔と共役のときには光ビーム３５０のスキャン中に口径食が生じる様子が示されている。光ビーム経路の絞りアパーチャ１９はスキャニングミラー１６と１７の間に配置されているので、両方のミラーを同じ位置に映せないことから問題が生じる。しかし、スキャナレンズ１４と接眼レンズ１１における各焦点距離の所定の比のときに口径食を引き起こすことなくスキャニングミラー１６および１７を分離できる最大距離を決定することができる。たとえば、目の瞳孔を４ｍｍ、スキャン角度を３０゜すなわち±１５゜、さらにビームサイズを２ｍｍとする。この事例の場合、レンズなしでは、口径食の生じない条件は、ビームのスキャニングポイントが瞳孔から３．７ｍｍより離れていないことである。しかしながら、たとえば焦点距離６０のスキャナレンズ１４と、たとえば焦点距離１２．８２の接眼レンズ１１を用いることにより、口径食を引き起こすことなく８１ｍｍよりも大きくスキャニングミラー１６と１７を離すことができるような焦点距離の比によって与えられる倍率が得られる。したがって本発明によれば、スキャナレンズ１４と接眼レンズ１１の焦点距離の比によって十分な倍率が得られれば、眼底をスキャンしている間、光ビーム経路は口径食が生じることなく保持される。光ビームは常に空中の中間画像面１０上に像を生成するので、光ビーム経路４００、観察経路３００、ならびに照明経路５００は焦点面が同一であるといえる。つまりこれら３つの光学的ビーム経路は常にいっしょに焦点が合う。
【００１９】
図３には、照明経路５００からの放射が中間画像面１０から眼底１０００へ進む方向と、眼底１０００から反射した放射が中間画像面１０を経由して観察経路３００へ進む方向とが示されている。図３に示されているように、光束５００１，５００２，は５００３は照明経路５００からの放射を表し、アパーチャ１２１はアイ・レンズ１２の角膜４２０上における観察経路３００のアパーチャを表している。さらに、光束３００１は観察経路３００へ送られる放射を表し、アパーチャ１２２はアイ・レンズ１２の角膜４２０上の観察経路３００のアパーチャを表している。図３に示されているように、照明経路５００からの光束５００１，５００２，５００３は、接眼レンズ１１によりアイ・レンズ１２上へ中心をはずれてフォーカシングされていることに注意されたい。この場合、照明経路５００と観察経路３００は前眼房において分離され、光は照明経路５００から観察経路３００へはほとんど後方散乱しない。
【００２０】
本発明によれば、以下のようにして実施形態が形成される。すなわちこの場合、照明経路のアパーチャ１２１と観察経路のアパーチャ１２２は形態的に眼の瞳孔中で分離され（その結果、角膜の支質による照明経路５００からの放射の散乱が観察経路３００中で観察されることはない）、さらにｂ）照明経路のアパーチャ１２１と観察経路のアパーチャ１２２は分離され、４ｍｍほどの小さい瞳孔が口径食なく両方のアパーチャを含むのに十分なように並んで配置される。このような有利な効果は、次の２つの考察のバランスをとることにより達成される。本発明の実施形態を製造する際に利用される第１の考察は、斜めに配向することであり、つまり照明経路５００を接眼レンズ１１に対し傾けることであって、これにより鏡面反射が観察経路３００へ入らないようになる。上述のようにこの要求により、患者の目は接眼レンズ１１に対し偏心される。本発明の実施形態を製造する際に利用される第２の考察は、照明経路のアパーチャ１２１に対し観察経路のアパーチャ１２２をできるかぎり接近させて配置することであり、その結果、両方のアパーチャを受け入れるのに最小の瞳孔直径しか必要なくなる。この第２の考察により、接眼レンズ１１および１３の光軸に対し観察絞りアパーチャ１２２を偏心させる必要のある設計が生じる。絞りアパーチャ１４は観察経路のアパーチャ１２２に対し共役であるので、観察経路のアパーチャ１２２の偏心は、レンズ１１の光軸に対し絞りアパーチャ１４を偏心させることで達成される。その結果、設計上のトレードオフが生じ、これは照明回路５００を傾斜させることでいっそう良好な反射防止を達成する場合、絞りアパーチャ１４の偏心の大きさを制限したいならば、照明経路のアパーチャ１２１と観察経路のアパーチャ１２２の両方を受け入れるために必要とされる最小の瞳孔直径が増大する。さらに留意されたいのは、絞りアパーチャ１４の偏心を制限するのが望ましい点であって、それというのは偏心が大きくなるにつれて接眼レンズ１３および１４のための直径も大きくする必要があり、よってコストが大きくなるからである。光軸に対し絞りアパーチャ１４をセンタリングしてしまうと、眼底１０００上の照明と観察の視野のオーバラップが不完全になってしまう。この結果、画像強度が低減してしまうことになる。不完全なオーバラップは、上述の理由のため接眼レンズ１１に対し眼が偏心されていることから生じる。さらに、絞りアパーチャ１４のこのようなセンタリングにより、照明経路のアパーチャ１２１と観察経路のアパーチャ１２２の両方を受け入れるのに必要な瞳孔の直径のサイズが増加してしまう。
【００２１】
図４には、観察経路３００中で用いられる中継光学系が示されている。この中継光学系は、レンズ１３と１５とにより構成されている。図４に示されているように、レンズ１３と１５は偏心された絞りアパーチャ１４に関して対称に偏心されており、その結果、歪みならびにラレラルカラーが完全に除去され、コマが十分に低減される。本発明によれば、図３で示したように絞りアパーチャ１４は観察経路のアパーチャ１２２に対し共役である。上述のように観察経路のアパーチャ１２２は偏心されおり、したがって照明経路のアパーチャ１２１と観察経路のアパーチャ１２２を互いに接近して配置することができる。図３に示されているように絞りアパーチャ１４は上に動かされ、観察経路のアパーチャ１２２は下に動かされ、またはこの逆である。したがって絞りアパーチャ１４は、接眼レンズ１１の光軸に対し観察経路のアパーチャ１２２を偏心させる目的で、観察経路３００の光軸に対し偏心されている。このコンフィグレーションは双眼観察装置のためにきわめて有用になり得る。それというのは、このような観察装置の場合、両方のアパーチャを偏心させなければならないからである。
【００２２】
図５には、本発明の実施形態の製造に際して利用するための双眼観察経路７００の実施形態が示されている。図５に示されているように、対称物体２０は対物レンズ２１の焦点面に配置されており、観察経路３１０と３２０のための絞りアパーチャ２２ａと２２ｂはそれぞれ、対物レンズ２１とレンズ２３ａ，２３ｂとの間に対称に配置されている。本発明の有利な実施形態によれば、レンズ２３ａと２３ｂはレンズ２１の半分に等しく、レンズ２１と同じレンズを半分にカットすることにより形成される。レンズ２３ａはレンズ２１の下半分に対応し、レンズ２３ｂはレンズ２１の上半分に対応する。この場合、図５に示されているように、対称物体２０は画像面２４ａと２４ｂに中継されている。レンズ２３ａと２３ｂを対物レンズ２１に対し対称に僅かに傾斜させることにより、立体的な観察を行うことができる。この場合、画像面２４ａと２４ｂを双眼レンズ（図示せず）またはＣＣＤカメラを通して観察できる。
【００２３】
図６には、本発明の実施形態の製造に際して利用するためのビームスプリッタ９のコーディングの実施形態が示されており、この場合、光ビームは８５０ｎｍ付近の中心波長と、約４０ｎよりも小さいスペクトル幅を有している。曲線３０により、３０００゜Ｋにおけるタングステン電球からの出射が表されている。ＲＧ９フィルタ曲線３１は約７２０ｎｍから約１１００ｎｍで放射している。眼の応答を示す曲線３４は、ＲＧ９フィルタにより送出される放射は眼にはほとんど見えず、可視のいかなる光も眼に対し深く赤みがかった色を有していることを示している。コーディング３２は８５０ｎｍでセンタリングされた波長を有する光ビームのために設計されているので、ビームスプリッタ９は８２０ｎｍ〜８７０ｎｍの照明を送出しない。曲線３３により与えられる応答を有するＣＣＤカメラを用いることにより観察が行われる。結果として生じる応答曲線は横線の付された領域３５として示されている。
【００２４】
図７には、本発明による眼科用装置の択一的な実施形態の側面図が示されている。図７における光学的機構の場合、傾斜と偏心は、図１に示されている実施形態の場合のように水平な面で行われるのではなく、垂直な面（および視野と照明が傾斜−偏心面に制限されている）において行われる。ＣＣＤチップは典型的には、垂直方向よりも水平方向に大きいフォーマットを有しており、通常は４：３の比であるので、垂直方向において制限された視野を有し水平方向におけるすべてのＣＣＤ画素を用いるようなフォーマットを有している。
【００２５】
たとえば、当業者であれば、これまで述べてきたことは図面と説明の目的でなされたにすぎないことを理解することができる。したがって本発明を、開示した精密な形態にのみ限定しようとするものではない。たとえば、本発明の枠内にあるとみなされる上述の説明の観点から種々の変形実施例が可能である。したがって請求の範囲は、本発明の実際の枠内にあてはまるそのような変形すべてに及ぶものである。
【００２６】
【発明の効果】
本発明によれば、簡単な構造であり、光ビームが口径食なく眼底へ供給され、高品質の眼底画像の得られる眼科用装置が実現される。
【図面の簡単な説明】
【図１】本発明にしたがって製造された眼底画像生成用の眼科用装置を上から見た図であり、ここには照明経路と観察経路だけが示されている。
【図２】図１による眼科用装置の側面図であり、ここには観察経路と光ビーム経路だけが示されている。
【図３】照明経路からの放射が中間が像面から眼底へと進む方向と、眼底から反射した放射が中間画像面を経由して観察経路へ進む方向を示す図である。
【図４】本発明の眼科用装置の観察経路で用いられる中継光学系を示す図である。
【図５】本発明の実施形態を製造するための双眼観察経路を示す図である。
【図６】本発明の実施形態を製造するために用いられるビームスプリッタのコーティングの実施形態を示す図であり、この場合、光ビームは８５０ｎｍ付近の中心波長を有しスペクトル幅は約４０ｎｍよりも小さい。
【図７】本発明による眼科用装置の択一的な実施形態の側面図である。
【図８】光ビーム経路絞りアパーチャが目の瞳孔に対し共役であるときの光ビームのスキャン中の口径食のない様子を示す図である。
【図９】光ビーム経路絞りアパーチャが目の瞳孔に対し共役でないときの光ビームのスキャン中の口径食を示す図である。
【符号の説明】
１  光源
３，１４  絞りアパーチャ
９  ビームスプリッタ
１０  中間画像面
１１  接眼レンズ
１２  アイ・レンズ
３００  観察経路
５００  照明経路
１０００  眼底
【図１】
0003629304.tif 000002
【図２】
0003629304.tif 000003
【図３】
0003629304.tif 000004
【図４】
0003629304.tif 000005
【図５】
0003629304.tif 000006
【図６】
0003629304.tif 000007
【図７】
0003629304.tif 000008
【図８】
0003629304.tif 000009
【図９】
0003629304.tif 000010